【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
デバイスを中空器官内に送達するための器具であって、
（ａ）近位開口および遠位開口を有し、遠位部分に前記デバイスが装着されるように構成された細長い管と、
（ｂ）前記細長い管に取り付けられるときに前記デバイスの少なくとも一部を覆う管状カバーであって、径方向に弾性を有し軸方向に非弾性を有する前記管状カバーと
を備え、
前記管状カバーは、前記デバイスが前記細長い管に取り付けられ前記管状カバーによって覆われるとき、前記細長い管内への前記管状カバーの回収により前記デバイスが露出されて前記中空器官内に送達されるように、前記遠位開口から前記細長い管内に回収可能である、前記器具。
【請求項２】
前記細長い管内に位置決めされ、前記管状カバー構造に取り付けられる追加の細長い管をさらに備え、
前記管状カバーは、前記細長い管に対して前記追加の細長い管を引くことによって、前記細長い管内に回収可能である、請求項１に記載の器具。
【請求項３】
前記細長い管は、前記遠位開口を形成する中空ノーズコーンを含む、請求項１に記載の器具。
【請求項４】
前記管状カバーは、非弾性軸方向要素を有する弾性材料から作製されている、請求項２に記載の器具。
【請求項５】
前記弾性材料は、弾性ポリマーである、請求項２に記載の器具。
【請求項６】
前記細長い管および前記追加の細長い管のそれぞれの近位端は、使用者操作可能ハンドルに取り付けられる、請求項２に記載の器具。
【請求項７】
前記デバイスは、前記細長い管の遠位部分に取り付けられる、請求項１に記載の器具。
【請求項８】
減摩組成物を前記細長い管の遠位部分に送達するための流体導管をさらに備える、請求項１に記載の器具。
【請求項９】
前記導管は、前記細長い管に着脱可能に取り付けられる、請求項８に記載の器具。
【請求項１０】
前記流体導管の遠位開口は、前記デバイスが前記細長い管に取り付けられるとき、前記減摩組成物を前記管状カバーと前記デバイスとの間に送達するように位置決めされる、請求項８に記載の器具。
【請求項１１】
前記減摩組成物は、油または水ベースの滑剤である、請求項８に記載の器具。
【手続補正２】
【補正対象書類名】明細書
【補正対象項目名】０１１３
【補正方法】変更
【補正の内容】
【０１１３】
本発明について、その特定の実施形態に関連して説明してきたが、当業者には数多くの代替形態、修正形態、および変形形態が明らかであろう。したがって、添付の特許請求の範囲の概念および広範な範囲内に入るそのような代替形態、修正形態、および変形形態はすべて本発明に包含されるものとする。本明細書に記載されているすべての刊行物、特許、および特許出願は、これら個々の刊行物、特許、および特許出願それぞれが、参照によって本明細書に組み込まれることを明示的かつ個別に示されている場合と同じように、それら全体が参照によって本明細書に組み込まれる。さらには、本出願において参考文献が引用または特定されていることは、そのような参考文献が本発明の従来技術として利用可能であることを認めるものとして解釈されない。
なお、本発明には、以下が含まれることを付記する。
〔１〕
デバイスを中空器官内に送達するための器具であって、
（ａ）近位開口および遠位開口を有し、遠位部分に前記デバイスが装着されるように構成された細長い管と、
（ｂ）前記細長い管に取り付けられるときに前記デバイスの少なくとも一部を覆う管状カバーであって、径方向に弾性を有し軸方向に非弾性を有する前記管状カバーと
を備え、
前記管状カバーは、前記デバイスが前記細長い管に取り付けられ前記管状カバーによって覆われるとき、前記細長い管内への前記管状カバーの回収により前記デバイスが露出されて前記中空器官内に送達されるように、前記遠位開口から前記細長い管内に回収可能である、前記器具。
〔２〕
前記細長い管内に位置決めされ、前記管状カバー構造に取り付けられる追加の細長い管をさらに備え、
前記管状カバーは、前記細長い管に対して前記追加の細長い管を引くことによって、前記細長い管内に回収可能である、〔１〕に記載の器具。
〔３〕
前記細長い管は、前記遠位開口を形成する中空ノーズコーンを含む、〔１〕に記載の器具。
〔４〕
前記管状カバーは、弾性材料から作製され、非弾性軸方向要素を有する、〔２〕に記載の器具。
〔５〕
前記弾性材料は、弾性ポリマーである、〔２〕に記載の器具。
〔６〕
前記細長い管および前記追加の細長い管のそれぞれの近位端は、使用者操作可能ハンドルに取り付けられる、〔２〕に記載の器具。
〔７〕
前記デバイスは、前記細長い管の遠位部分に取り付けられる、〔１〕に記載の器具。
〔８〕
減摩組成物を前記細長い管の遠位部分に送達するための流体導管をさらに備える、〔１〕に記載の器具。
〔９〕
前記導管は、前記細長い管に着脱可能に取り付けられる、〔８〕に記載の器具。
〔１０〕
前記流体導管の遠位開口は、前記デバイスが前記細長い管に取り付けられるとき、前記減摩組成物を前記管状カバーと前記デバイスとの間に送達するように位置決めされる、〔８〕に記載の器具。
〔１１〕
前記減摩組成物は、油または水ベースの滑剤である、〔８〕に記載の器具。
〔１２〕
デバイスを中空器官内に送達する方法であって、
（ａ）前記中空器官内に、近位開口および遠位開口を有する細長い管を送達することと、ここで、前記細長い管は、その上に前記デバイスが取り付けられており、径方向に弾性を有し軸方向に非弾性を有する管状カバーによって少なくとも部分的に覆われており、
（ｂ）前記管状カバーを、前記遠位開口から前記細長い管内に回収し、それにより前記デバイスを露出させることと、
（ｃ）前記細長い管を近位方向に引き、それにより前記デバイスを前記中空器官に送達することとを含む方法。
〔１３〕
前記管状カバーは、前記細長い管内に位置決めされる追加の細長い管に取り付けられ、さらに、（ｂ）は、前記細長い管に対して前記追加の細長い管を引くことによって行われる、〔１２〕に記載の方法。
〔１４〕
前記管状カバーは、弾性材料から作製され、非弾性軸方向要素を有する、〔１３〕に記載の方法。
〔１５〕
前記デバイスは、少なくとも１つの環状バルーンを有する管状スリーブであり、さらに、前記環状バルーンは、前記管状スリーブを前記中空器官内に固定するために、（ｃ）の前または後に膨張される、〔１３〕に記載の方法。
〔１６〕
前記中空器官は、結腸であり、前記管状スリーブの長さは、少なくとも２００ｍｍである、〔１５〕に記載の方法。
〔１７〕
前記中空器官は結腸であり、さらに、（ａ）は、肛門外口から前記管状スリーブを送達することによって行われる、〔１５〕に記載の方法。
〔１８〕
前記少なくとも１つの環状バルーンは、身体の外に位置する膨張ポートを有する膨張導管を介して膨張される、〔１５〕に記載の方法。
〔１９〕
（ｂ）の前に、減摩組成物を前記細長い管の遠位部分に送達することをさらに含む、〔１３〕に記載の方法。
〔２０〕
前記送達は、前記細長い管の前記遠位部分に位置決めされる遠位開口を有する流体導管を介して行われる、〔１９〕に記載の方法。
〔２１〕
前記流体導管の遠位開口は、前記減摩組成物を前記管状カバーと前記デバイスとの間に送達するように、位置決めされる、〔２０〕に記載の方法。
〔２２〕
前記減摩組成物は、油または水ベースの滑剤である、〔１９〕に記載の方法。